(57)【要約】【課題】風切り音を増加させることなく、加湿機能の有無をすぐに切り替えることができる加湿機能付きの空気清浄機を提供する。【解決手段】吸い込み口２と吹き出し口３を有する本体１と、吸込み口２から吹き出し口３へ至る気流を生成するフアン４と、吸い込み口２から吸込まれる空気に対し浄化する集塵・脱臭フィルター５、加湿する加湿ユニット６とを備え、加湿ユニット６を通過して加湿された空気が吹き出される加湿空気吹き出し口３ａと加湿ユニット６を通過しない空気が吹き出される非加湿空気吹き出し口３ｂとの開口面積が等しく、これらを切り替えて遮蔽する切替板７を備える。【選択図】図３
2007010179.tif 000002
【特許請求の範囲】
【請求項１】
吸い込み口と吹き出し口を有する本体と、
前記本体内に設けられ、前記吸込み口から前記吹き出し口へ至る気流を生成するファンと、
前記本体内に設けられ、前記フアンが生成する気流により前記吸い込み口から吸込まれる空気を浄化する集塵・脱臭フィルターと、
前記本体内に設けられ、前記フアンが生成する気流により前記吸い込み口から吸込まれる空気を加湿する加湿ユニットと、を備え、
前記吹き出し口よりも前記フアンが生成する気流の上流側に、前記加湿ユニットを通過して加湿された空気が吹き出される加湿空気吹き出し口と前記加湿ユニットを通過しない空気が吹き出される非加湿空気吹き出し口とを有し、
前記加湿空気吹き出し口と前記非加湿空気吹き出し口とを切り替えて遮蔽する切替手段を有し、
前記加湿空気吹き出し口と前記非加湿空気吹き出し口との開口面積を等しくしたことを特徴とする空気清浄機。
【請求項２】
加湿空気吹き出し口と非加湿空気吹き出し口とが面一に設けられるとともに、
切替手段が前記加湿空気吹き出し口と前記非加湿空気吹き出し口とをスライドして切り 替えて遮蔽する切替板であることを特徴とする請求項１記載の空気清浄機。
【請求項３】
湿度を検知する湿度センサーと、
加湿空気吹き出し口又は非加湿空気吹き出し口に対する切替手段の位置を検知する位置センサーと、
前記切替手段が前記加湿空気吹き出し口を遮蔽する位置にあることを前記位置センサーが検知すると、前記湿度センサーへの通電を停止する制御を行う制御手段と、
を備えたことを特徴とする請求項1又は請求項2のいずれかに記載の空気清浄機。
【発明の詳細な説明】
【技術分野】
【０００１】
本発明は加湿機能付きの空気清浄機に関するものである。
【背景技術】
【０００２】
従来の加湿機能付きの空気清浄機（空気清浄機能付き加湿機）では、本体内部に風路開閉板を設け、この風路開閉板をスライドさせ、開くことにより、加湿ユニットを空気が通過できるようにした風路を作り出し、空気の浄化と加湿を行い、風路開閉板をスライドさせ、閉めることにより加湿ユニットを孤立させたり、加湿ユニットへの水供給の途中経路にバルブを設け、このバルブを閉じることにより加湿ユニット内の気化フィルターへの水供給を止めることにより加湿を止め、空気の浄化のみを行うようにしている（例えば、特許文献１参照）。
【０００３】
【特許文献１】特開平１１−７２２４６号公報（段落００１６、００１７、００３２、図１１〜１４、図１９〜２２）
【発明の開示】
【発明が解決しようとする課題】
【０００４】
従来の加湿機能付きの空気清浄機では、例えば、特許文献１では、風路内に開閉板を設け、スライドさせ、開閉させることによって風路を切り替えたり、加湿ユニットへの水供給経路の途中に設けたバルブを閉じることで加湿有無の切り替えを行っているが、風路開閉板をスライドさせることで風路が大幅に変更となるため、風量を一定とした時の風切り音等の騒音が大きくなるといった問題点が生じ、また、加湿ユニットへの水供給経路に設けたバルブを閉じて加湿を止める方法は、加湿ユニット内の気化フィルターに水が含まれる限りは加湿が行われるので、すぐに加湿を止めることができないといった問題点があった。
【０００５】
本発明は、風路を大きく変更させることなく、加湿機能の有無をすぐに切り替えることができる加湿機能付きの空気清浄機を提供することを目的とする。
【課題を解決するための手段】
【０００６】
本発明の空気清浄機は、吸い込み口と吹き出し口を有する本体と、前記本体内に設けられ、前記吸込み口から前記吹き出し口へ至る気流を生成するファンと、前記本体内に設けられ、前記フアンが生成する気流により前記吸い込み口から吸込まれる空気を浄化する集塵・脱臭フィルターと、前記本体内に設けられ、前記フアンが生成する気流により前記吸い込み口から吸込まれる空気を加湿する加湿ユニットと、を備え、前記吹き出し口よりも前記フアンが生成する気流の上流側に、前記加湿ユニットを通過して加湿された空気が吹き出される加湿空気吹き出し口と前記加湿ユニットを通過しない空気が吹き出される非加湿空気吹き出し口とを有し、前記加湿空気吹き出し口と前記非加湿空気吹き出し口とを切り替えて遮蔽する切替手段を有し、前記加湿空気吹き出し口と前記非加湿空気吹き出し口との開口面積を等しくしたものである。
【発明の効果】
【０００７】
本発明によれば、吹き出し口の上流側に、それぞれ開口面積が等しい加湿空気吹き出し口と非加湿空気吹き出し口とを設け、この加湿空気吹き出し口と非加湿空気吹き出し口の遮蔽を切り替える切替手段を備えたので、この切替手段により風量を一定としたときの風切り音等の騒音が低減できるとともに、加湿機能の有無をすぐに切り替えることができる。
【発明を実施するための最良の形態】
【０００８】
図１は本発明の実施の形態を示す加湿機能付きの空気清浄機の斜視図、図２は本発明の実施の形態を示す空気清浄のみを行う時の加湿機能付きの空気清浄機の縦断面図、図３は本発明の実施の形態を示す空気清浄＋加湿を行う時の加湿機能付きの空気清浄機の縦断面図である。
【０００９】
図１、図３、図２において、空気清浄機本体１は、空気清浄機本体１の前面に位置する室内空気の吸い込み口２、空気清浄機本体１の上部に配設された空気の吹き出し口３、ファン４、集塵・脱臭フィルター５、加湿ユニット６、吹き出し口３の上部を空気清浄機本体１の前後方向にスライドできるように取り付けられ、浄化した空気の吹き出し口と浄化＋加湿した空気の吹き出し口とを切り替える切替手段である切替板７、吹き出し口３部の空気清浄機本体１前後方向に１つずつ取り付けられ、切替板７の位置を検知する位置センサー８ａ、８ｂ、埃・臭いセンサーである室内空気の埃を検知する埃センサー９と室内の空気の臭いを検知する臭いセンサー１０、室内空気の湿度を検知する湿度センサー１１、制御手段１２から構成される。
【００１０】
吹き出し口３は、空気清浄機本体１の前方に設けられ、加湿ユニット６を経由する風路からの空気を吐出する加湿空気吹き出し口３ａと、本体の後方に設けられ、加湿ユニット６を経由しない風路からの空気を吐出する非加湿空気吹き出し口３ｂからなる。加湿空気吹き出し口３ａと非加湿空気吹き出し口３ｂは面一に設けられ、それぞれの開口面積は等しい。
また、位置センサー８ａは空気清浄機本体１の前方に設けられ、切替板７が加湿空気吹き出し口３ａを遮蔽する位置にあることを検知し、位置センサー８ｂは空気清浄機本体１の後方に設けられ、切替板７が非加湿空気吹き出し口３ｂを遮蔽する位置にあることを検知する。
また、位置センサー８ａ、８ｂはマイクロスイッチ等が用いられる。
また、ａは室内の汚れた空気の流れ、ｂは空気清浄機内に取り込まれ浄化された空気の流れ、ｃは浄化され、更に加湿された空気の流れを示す。
【００１１】
次に、上述のように構成された本発明の実施の形態の加湿機能付きの空気清浄機において、その動作について説明する。
動作の概要は、運転スイッチを入れることでファン４が一定の回転数で回り、それによって吸い込み口２から室内の空気が空気清浄機本体１内に取り込まれ、集塵・脱臭フィルター５を通過することにより空気が浄化される。
【００１２】
そして、切替板７が図２のように空気清浄機本体１の前方の加湿空気吹き出し口３ａを遮蔽する場合は、浄化された空気はそのまま非加湿空気吹き出し口３ｂを通過し、室内に放出される。
また、切替板７が図３のように空気清浄機本体１の後方の非加湿空気吹き出し口３ｂを遮蔽する場合は、浄化された空気の全てが加湿ユニット６を通過し、加湿され、浄化＋加湿された空気が加湿空気吹き出し口３ａから室内に放出される。
また、図示しないが、切替板７が吹き出し口３の中央に位置し、加湿空気吹き出し口３ａと非加湿空気吹き出し口３ｂの各々の一部が遮蔽される場合は、浄化された空気の一部が加湿ユニット６を通過し、加湿され、浄化＋加湿された空気が加湿空気吹き出し口３ａから室内に放出されるとともに、浄化された空気の一部が加湿ユニット６を通過せず清浄空気が非加湿空気吹き出し口３ｂから室内に放出される。
【００１３】
次に、制御手段１２の制御を含んだ動作を説明する。
図２のように切替板７が空気清浄機本体１の前方の加湿空気吹き出し口３ａを遮蔽する位置にあることを位置センサー８ａが検知したときは、加湿を行わずに空気の浄化のみを行っているので、湿度センサー１１への通電を止め、埃センサー９、臭いセンサー１０で室内空気の汚れ具合を検知しながら送風の強弱運転を行うという空気清浄に特化した制御を行う。
【００１４】
図３のように、切替板７が空気清浄機本体１の後方の非加湿空気吹き出し口３ｂを遮蔽する位置にあることを位置センサー８ｂが検知したときは、浄化された空気の全てが加湿ユニット６を通過し、加湿されるので、湿度センサー１１に通電し、室内空気の湿度を検知しながら送風の強弱運転を行うという湿度を優先した制御を行う。
【００１５】
また、位置センサー８ａ、８ｂが共に切替板７を検知せず反応がないときは、切替板７が吹き出し口３の中央に位置し、加湿空気吹き出し口３ａと非加湿空気吹き出し口３ｂの各々の一部が遮蔽される位置にある場合であり、浄化された空気の一部が加湿ユニット６を通過し、加湿されるので、湿度センサー１１に通電し、室内空気の湿度を検知しながら送風の強弱運転を行うという湿度を優先した制御を行う。
【００１６】
以上のように、吹き出し口３の上流側に、非加湿空気吹き出し口３ｂと加湿空気吹き出し口３ａとの遮蔽を切り替える切替板７を備えたので、切替板７をスライドさせるだけという簡単な操作で加湿機能の入切をすぐすることができ、また、非加湿湿空気吹き出し口３ｂと加湿空気吹き出しロ３ａの開口面積が等しいので、切替板７による切り替えにより加湿空気吹き出し口３ａと非加湿空気吹き出し口３ｂとを通過する気流の風速の差が低減され、同じ風量を流す時の風切り音等の騒音への影響も小さくすることができる。なお、非加湿空気吹き出し口３ｂと加湿空気吹き出し口３ａの開口面積が等しいものとしたが正確に等しくする必要はなく、風切り音等の騒音が小さい程度に加湿空気吹き出し口３ａと非加湿空気吹き出し口３ｂとを通過する気流の風速の差が小さければよい。
【００１７】
また、位置センサー８ｂにより、切替板７が非加湿空気吹き出し口３ｂを遮蔽する位置にあり加湿を行うときは、湿度センサー１１へ通電し、室内空気の湿度に基づいた加湿優先の制御を行い、切替板７が加湿空気吹き出し口３ａを遮蔽する位置にあり加湿を行わないときは、湿度センサー１１への通電を止め、埃センサー９と臭いセンサー１０に基づいて空気清浄優先の制御を行う制御手段１２を備えたので、センサーへの無駄な電力が押さえられると同時に、切替板７をスライドさせるという簡単な方法で目的に応じた快適な使い方が可能となる。
なお、本実施の形態では、集塵・脱臭フィルター５を吸い込み口２の下流側近傍に設けたが、これに限るものでなく、フアン４の下流側で加湿空気吹き出し口３ａと非加湿吹き出し口口３ｂとに気流が分岐する前の位置に設けてもよい。また、加湿吹き出し口３ａ及び非加湿吹き出し口３ｂが配設される面と吹き出し口３が配設される面との間に設けてもよい。
また、加湿ユニット６をフアン４の下流側に設けたが、これに限るものでなく、加湿ユニット６を加湿空気吹き出し口３ａ及び非加湿空気吹き出し口３ｂの構成とともにフアン４の上流側に設けてもよい。
【図面の簡単な説明】
【００１８】
【図１】本発明の実施の形態を示す加湿機能付きの空気清浄機の斜視図である。
【図２】本発明の実施の形態を示す空気清浄のみを行う時の加湿機能付きの空気清浄機の縦断面図である。
【図３】本発明の実施の形態を示す空気清浄＋加湿を行う時の加湿機能付きの空気清浄機の縦断面図である。
【符号の説明】
【００１９】
１  空気清浄機本体、２  吸い込み口、３  吹き出し口、３ａ  加湿空気吹き出し口、３ｂ  非加湿空気吹き出し口、４  ファン、５  集塵・脱臭フィルター、６  加湿ユニット、７  切替板、８ａ、８ｂ  位置センサー、９  埃センサー、１０  臭いセンサー、１１  湿度センサー。
【図１】
2007010179.tif 000003
【図２】
2007010179.tif 000004
【図３】
2007010179.tif 000005